(57)【要約】【課題】構造が簡単で、全長の長い筆記具から全長の短い筆記具に変更可能なノック式筆記具を提供する。【解決手段】軸筒内にスプリングにより軸筒後端方向へ付勢して摺動自在に配置した筆記具用レフィルの先端部を、軸筒後端より突出したノック体を押圧することより、軸筒先端開口部より出没させる、出没機構を具備したノック式筆記具において、前記軸筒が、少なくとも前軸、中軸、後軸からなり、前記出没機構を後軸に配設し、前記中軸を着脱自在に係合するとともに、前記前軸と後軸を係合可能とし、前記中軸を取り外し、前記前軸と後軸を係合することにより、全長の異なる２種類のノック式筆記具に変更可能とする。【選択図】          図１
2006305836.tif 000002
【特許請求の範囲】
【請求項１】
軸筒内にスプリングにより軸筒後端方向へ付勢して摺動自在に配置した筆記具用レフィルの先端部を、軸筒後端より突出したノック体を押圧することより軸筒先端開口部より出没させる、出没機構を具備したノック式筆記具において、前記軸筒が、少なくとも前軸、中軸、後軸からなり、前記出没機構を後軸に配設し、前記中軸を着脱自在に係合するとともに、前記前軸と後軸を係合可能とし、前記中軸を取り外し、前記前軸と後軸を係合することにより、全長の異なる２種類のノック式筆記具に変更可能なことを特徴とするノック式筆記具。
【請求項２】
前記筆記具用レフィルの後端に、筆記具用レフィルに連動して摺動する補助部材を配設し、前記筆記具用レフィルの先端部を、前記補助部材を介して、前軸の先端開口部から出没可能とするとともに、前記中軸及び補助部材を取り外し、前記前軸と後軸とを係合することにより、前記筆記具用レフィルの先端部を前記出没機構によって直接、軸筒先端開口部から出没可能としたことを特徴とする請求項１に記載のノック式筆記具。
【請求項３】
前記出没機構が、軸筒内に形成したカム溝、回転カム、押し棒からなる回転カムによる出没機構であって、前記補助部材を回転カムに係合し、該回転カムの回転に連動して補助部材が回転することを特徴とする請求項２に記載のノック式筆記具。
【請求項４】
前記補助部材が、筆記具用レフィルであることを特徴とする請求項１または３に記載のノック式筆記具。
【請求項５】
前記中軸を、複数個、着脱自在に配設したことを特徴とする請求項１ないし４の何れか１項に記載のノック式筆記具。
【発明の詳細な説明】
【技術分野】
【０００１】
本発明は、ノック式筆記具に関し、さらに詳しくは、軸筒が、少なくとも前軸、中軸、後軸の複数の部材からなるノック式筆記具に関する。
【背景技術】
【０００２】
従来の筆記具の全長は、概ね１０ｃｍ〜１５ｃｍ程度であるが、手帳用等、特殊な用途に用いる筆記具として、全長が７ｃｍ程度の短い筆記具も市販されていて、筆記具の全長は、使用者の好みが様々である。
【０００３】
軸筒の長さを伸縮自在の筆記具として、特開平０９−３００８８１号「伸縮式筆記具」に開示されているように、筆記具の軸筒を伸縮することで、筆記具用レフィルのペン先部を出没可能な筆記具も知られている。
【０００４】
また、特開２０００−１８５４９７号「筆記用具」には、複数の軸筒を連結して一つの筆記具とする構造が開示されている。
【特許文献１】「特開平０９−３００８８１号公報」
【特許文献２】「特開２０００−１８５４９７号公報」
【発明の開示】
【発明が解決しようとする課題】
【０００５】
しかし、特許文献１のように伸縮式の筆記具は、操作性に問題があり、構造も複雑となるため、低価格品には不向きであった。
【０００６】
また、特許文献２のように単に軸筒を複数個、配設するだけでは、軸筒を取り外してしまうと、全長が短くなってしまうため、新たな筆記具用レフィルを収納しなければならないという問題があった。
【０００７】
本発明の目的は、構造が簡単で、全長の長い筆記具から全長の短い筆記具に変更可能なノック式筆記具を提供することである。
【課題を解決するための手段】
【０００８】
本発明は、軸筒内にスプリングにより軸筒後端方向へ付勢して摺動自在に配置した筆記具用レフィルの先端部を、軸筒後端より突出したノック体を押圧することより軸筒先端開口部より出没させる、出没機構を具備したノック式筆記具において、前記軸筒が、少なくとも前軸、中軸、後軸からなり、前記出没機構を後軸に配設し、前記中軸を着脱自在に係合するとともに、前記前軸と後軸を係合可能とし、前記中軸を取り外し、前記前軸と後軸を係合することにより、全長の異なる２種類のノック式筆記具に変更可能なことを特徴とする。
【０００９】
また、前記筆記具用レフィルの後端に、筆記具用レフィルに連動して摺動する補助部材を配設し、前記筆記具用レフィルの先端部を、前記補助部材を介して、前軸の先端開口部から出没可能とするとともに、前記中軸及び補助部材を取り外し、前記前軸と後軸とを係合することにより、前記筆記具用レフィルの先端部を前記出没機構によって直接、軸筒先端開口部から出没可能としたことを特徴とする。
【００１０】
また、前記出没機構が、軸筒内に形成したカム溝、回転カム、押し棒からなる回転カムによる出没機構であって、前記補助部材を回転カムに係合し、該回転カムの回転に連動して補助部材が回転することを特徴とする。
【００１１】
また、前記補助部材が、筆記具用レフィルであることを特徴とする。
【００１２】
また、前記中軸を、複数個、着脱自在に配設したことを特徴とする。
【発明の効果】
【００１３】
構造が簡単で、全長の長い筆記具から全長の短い筆記具に変更可能なノック式筆記具を提供することができた。
【発明を実施するための最良の形態】
【００１４】
次に図面を参照しながら、本発明の筆記具の軸筒の実施例を説明するが、本発明は以下の実施例に限定されるものではない。
【実施例１】
【００１５】
図１から図４に示す実施例１のノック式筆記具１は、前軸２、中軸３、後軸４からなる軸筒内に、インキ収容筒８の先端に、チップホルダー９を介してボールペンチップ１０を装着し、内部に筆記具用インキ（図示せず）を収容した筆記具用レフィルＨ１を、スプリング７によって後軸４の後端方向に付勢して収納してノック式筆記具１を得ている。また、前軸２にはグリップ部材１１を装着し、後軸にはクリップ１２を設けてある。
【００１６】
軸筒は、前軸２の後端部に形成した係合部２ｂと中軸３の先端部に形成した被係合部３ａ、中軸３の後端部に形成した係合部３ｂと後軸４の先端部に形成した被係合部４ａをそれぞれネジ嵌合し、中軸３を着脱自在としてある。また、前軸２の後端部に形成した係合部２ｂと、後軸４の先端部に形成した被係合部４ａとを着脱自在にネジ嵌合することができる。
【００１７】
ノック式筆記具１の出没機構は、後軸４の内壁面に回転カム７を前後に摺動案内し回転させるためのカム溝（図示せず）と、回転カム６と、回転カム６の後端に回転カムを摺動し回転を付与するためのカム部を有したノック体５からなる、従来から知れている回転カムによる出没機構である。
【００１８】
ノック式筆記具１を使用する場合には、後軸４の後端より突出したノック体５を押圧する。ノック体５を押圧すると、回転カム６による出没機構が作動し、インキ収容筒８が、前軸２の先端開口部２ａ方向に移動して、ボールペンチップ１０を前軸２の先端開口部２ａから突出させて使用することができる。
【００１９】
また、中軸３を取り外し、インキ収容筒１３の先端部に、チップホルダー１４を介してボールペンチップ１５を装着した、筆記具用レフィルＨ１より全長の短い筆記具用レフィルＨ２に交換し、前軸２の後端部に形成した係合部２ｂと後軸４の先端部に形成した被係合部４ａをネジ嵌合して、全長の短いノック式筆記具２１に変更することができる。ノック体５を押圧すると、回転カム６による出没機構が作動し、インキ収容筒１３が、前軸２の先端開口部２ａ方向に移動して、ボールペンチップ１５を前軸２の先端開口部２ａから突出させて使用することができる。
【実施例２】
【００２０】
図５から図７に示す実施例２のノック式筆記具３１は、回転カム６の前方に、スプリング７によって後軸４の後端方向に付勢したインキ収容筒１３によって、後軸４の後端方向に付勢した状態に補助部材１６を軸心方向に摺動自在に配設した以外は、実施例１と同様にしてノック式筆記具３１を得ている。
【００２１】
ノック式筆記具３１を使用する場合には、後軸４の後端より突出したノック体５を押圧する。ノック体５を押圧すると、回転カム６による出没機構が作動し、補助部材１６を前軸２の先端開口部２ａ方向に移動させる。この補助部材１６の移動によって、インキ収容筒１３が、前軸２の先端開口部２ａ方向に移動して、ボールペンチップ１５を前軸２の先端開口部２ａから突出させて使用することができる。
【００２２】
中軸３及び補助部材１６を取り外し、前軸２の後端部に形成した係合部２ｂと後軸４の先端部に形成した被係合部４ａをネジ嵌合して、図３、図４に示す全長の短いノック式筆記具２１に変更することができる。この状態で、ノック体５を押圧すると、回転カム６による出没機構が作動し、回転カム６が直接、インキ収容筒１３に当接し、インキ収容筒１３が、前軸２の先端開口部２ａ方向に移動して、ボールペンチップ１５を前軸２の先端開口部２ａから突出させて使用することができる。
【００２３】
筆記具用レフィルＨ２の後端に、筆記具用レフィルＨ２に連動して摺動する補助部材１６を配設することによって、新たな筆記具用レフィルに交換することなく、全長の異なる２種類のノック式筆記具２１、３１が使用することができる。
【００２４】
補助部材１６の形状は、特に限定されるものではなく、図示はしていないが、補助部材として他の筆記具用レフィルを用いてもよい。補助部材を筆記具用レフィルとすることで、予備の筆記具用レフィルを持ち歩かなくて済むので好ましい。また補助部材１６の配設方法も特に限定されるものではなく、インキ収容筒１３に付設してあってもよいが、補助部材１６の凸部１６ｂを回転カム６の先端部に圧入係合させて、回転カム６の回転に連動して回転するように配設することで、補助部材１６の外壁に文字や模様を施すことで、この文字や模様が回転し、装飾効果を得ることができる。
【００２５】
また、補助部材１６の外壁に形成した突部１６ａが、中軸３の内壁に形成した突部３ｃを乗り越えて摺動自在に配設することで、補助部材１６を中軸３から容易に落下しないようにすることで、中軸３及び摺動体１６の取り外しが容易になるため好ましい。
【実施例３】
【００２６】
図８、図９に示す実施例３のノック式筆記具４１は、実施例３のノック式筆記具２１に、中軸１７及び補助部材１６を付設した例である。前軸２の後端部に形成した係合部２ｂと第１の中軸３の先端部に形成した被係合部３ａ、第１の中軸３の後端部に形成した係合部３ｂと第２の中軸１７の先端部に形成した被係合部１７ａ、第２の中軸１７の後端部に形成した係合部１７ｂと後軸４の先端部に形成した被係合部４ａをそれぞれ着脱自在にネジ嵌合することによって、第１の中軸３及び／又は第２の中軸１７を取り外すことができる。
【００２７】
中軸１７の内壁に形成した突部１７ｃと補助部材１８の外壁に形成した突部１８ａによって、補助部材１８が中軸１７から容易に落下しない構造とし、補助部材１６に形成した凸部１６ｂを第２の補助部材１８の凹部１８ｃに係合し、第２の補助部材１８の凸部１８ｂを回転カム６の先端部に係合してあるので、回転カム６の回転によって、補助部材１６及び補助部材１８の両方ともに回転する。
【００２８】
ノック式筆記具４１を使用する場合には、ノック体５を押圧して、回転カム６による出没機構を作動させ、回転カム６の前方に配設した第２の補助部材１８を前軸２の先端開口部２ａ方向に移動させる。この第２の補助部材１８の移動によって、第２の補助部材１８の前方に配設した第１の補助部材１６を前軸２の先端開口部２ａ方向に移動させる。この第１の補助部材１６の移動によって、インキ収容筒１３が前軸２の先端開口部２ａ方向に移動して、筆記具用レフィルＨ２のボールペンチップ１５を前軸２の先端開口部２ａから突出させて使用することができる。
【００２９】
第１の中軸３及び第２の補助部材１８を取り外し、前軸２の後端部に形成した被係合部２ｂと第１の中軸１６の先端部に形成した被係合部１６ａを係合して、図５、図６に示す全長の短いノック式筆記具３１に変更することができ、さらに、第１の中軸３及び第２の中軸１７と、第１の補助部材１６及び第２の補助部材１８を取り外し、前軸２の後端部に形成した係合部２ｂと後軸４の先端部に形成した被係合部４ａを係合して、図３、図４に示す、さらに全長の短いノック式筆記具２１に変更することができる。
【００３０】
このように、中軸３、１７及び補助部材１６、１８を複数個にすることによって、全長の変化を多くすることができるので、使用者の選択が広がるので好ましい。また、複数個の中軸３、１７を異なる色で形成することで、装飾効果も得られる。
【００３１】
本実施例では、便宜上、回転カムによる出没機構を具備してあるが、ノック体を押圧することによって、筆記具用レフィルを軸筒先端開口部から出没可能な機構であれば特に限定されるものではない。
【産業上の利用可能性】
【００３２】
全長の長いノック式筆記具と、全長の短いノック式筆記具を簡単に変更でき、新たな筆記具用レフィルを必要としないので、外出時や手帳用等、他用途に使用することができる。
【図面の簡単な説明】
【００３３】
【図１】実施例１のノック式筆記具を示す、縦断面図である。
【図２】図１における、ボールペンチップが突出した状態を示す縦断面図である。
【図３】図１における中軸を取り外した、全長の短いノック式筆記具を示す縦断面図である。
【図４】図３における、ボールペンチップが突出した状態を示す縦断面図である。
【図５】実施例２のノック式筆記具を示す、縦断面図である。
【図６】図３における、ボールペンチップが突出した状態を示す縦断面図である。
【図７】図５における、組立前の状態を示す縦断面図である。
【図８】実施例３のボールペンチップが突出した状態を示す、縦断面図である。
【図９】図８における、組立前の状態を示す縦断面図である。
【符号の説明】
【００３４】
１、２１、３１、４１  ノック式筆記具
２  前軸
２ａ  先端開口部
２ｂ  係合部
３、１７  中軸
３ａ、１７ａ  被係合部
３ｂ、１７ｂ  係合部
４  後軸
４ａ  係合部
５  ノック体
６  回転カム
７  スプリング
８、１３  インキ収容筒
１０、１５  ボールペンチップ
１６、１８  補助部材
【図１】
2006305836.tif 000003
【図２】
2006305836.tif 000004
【図３】
2006305836.tif 000005
【図４】
2006305836.tif 000006
【図５】
2006305836.tif 000007
【図６】
2006305836.tif 000008
【図７】
2006305836.tif 000009
【図８】
2006305836.tif 000010
【図９】
2006305836.tif 000011